(57)【要約】      （修正有）【課題】継手内の付着物の付着状況の確認が容易であるとともに、付着物の洗浄が容易な掃除口付透明継手および、その掃除口付透明継手を適用する排水管路を提供する。【解決手段】掃除口付透明継手１は、排水経路の一部に設けられる掃除口付透明継手１であって、継手本体２は、少なくとも二つ以上の流入口が合流する合流部３、４と、流出口６と、掃除口部１０と、を備えており、継手本体２において、掃除口部１０が、その継手本体２の外側面に設けられている。【選択図】図２
0003222930.tif 000002
【実用新案登録請求の範囲】
【請求項１】
排水経路の一部に設けられる掃除口付透明継手であって、
継手本体は、
少なくとも二つ以上の流入口が合流する合流部と、
流出口と、
掃除口部と、を備え、
前記掃除口部は、前記継手本体において、本体外側面に設けられていることを特徴とする掃除口付透明継手。
【請求項２】
前記掃除口部は、
前記合流部よりも下流側に設けられていることを特徴とする請求項１に記載の掃除口付透明継手。
【請求項３】
前記掃除口部は、
前記継手本体における重力方向に対して、９０度以上で設けられている
ことを特徴とする請求項１または２のいずれか１項に記載の掃除口付透明継手。
【請求項４】
前記掃除口部は、
円筒様の形状にて、前記継手本体側面から延出する管体と、
前記管体の外側開口に取付け可能な第一蓋体と、
前記第一蓋体と前記管体の内側開口との間において、表面から裏面にかけて開孔する窓が設けられる第二蓋体と、を備えることを特徴とする請求項１〜３のいずれか１項に記載の掃除口付透明継手
【請求項５】
請求項１〜４に記載の前記掃除口付透明継手を複数適用する排水管路であって、
前記掃除口付透明継手の一方の流入口を、排水横管に接続し、
前記掃除口付透明継手の他方の流入口を、排水立管に接続する
ことを特徴とする排水管路。
【請求項６】
請求項１〜４に記載の前記掃除口付透明継手を複数適用する排水管路であって、
前記掃除口付透明継手の一方および他方の流入口を、それぞれ別個の排水横管に接続する
ことを特徴とする排水管路。
【考案の詳細な説明】
【技術分野】
【０００１】
本考案は、掃除口付透明継手およびその掃除口付透明継手を適用する排水管路に関する。
【背景技術】
【０００２】
マンションなど集合住宅分野において、各部屋の排水設備からの排水はフロア毎にヘッダーなどにより集水された後、排水立管で低層階に運ばれ、屈曲管（エルボ）により排水横管に導水された後、公共桝を介して下水道へと排水される。
【０００３】
通常、排水設備を使用していくことにより、グリスやスケールといった付着物が管内に付着していく。これら付着物による管内の閉塞が進行するにつれて、排水機能は低下し、付着物により管路が完全に閉塞した場合には、排水の逆流が起こる。このような問題を未然に防ぐため、集合住宅では、定期的な管路内清掃が行われている。
【０００４】
ところで、複数の排水立管を１つの排水横管に繋ぎこむ際には、分岐継手が使用されているが、この分岐継手には、複数の流入口が所定の角度で分岐するようにして形成されている。
近年、管路内清掃を容易にするため、管路の一部を透明材料で形成するとともに、継手の一端に掃除口を設ける発明が知られている（例えば、特許文献１参照）。
ここで、特許文献１には、分岐継手の流出口（排水横管との接続側）に対向する開口部（分岐継手の一方の流入口）に掃除口を設け、管路内清掃時には照明を使って閉塞部を視認し、該当部に洗浄ノズルを持っていくことで、排水横管の維持管理を容易に行うことができる点が開示されている。
【先行技術文献】
【特許文献】
【０００５】
【特許文献１】特開２０１４−０６６０１８号公報
【考案の概要】
【考案が解決しようとする課題】
【０００６】
しかしながら、特許文献１の構成では、例えば一直線方向に延びる排水横管にあっては、長距離の排水横管に１つの掃除口しか適用されない。閉塞部分が掃除口から遠い位置に形成されているような場合や、閉塞部分が排水立管内に確認された場合には、上記掃除口から挿入された洗浄ノズルの操作性の低下や、視認性の低下といった、作業性の低下に起因して付着物の洗浄が行い難くなる。
【０００７】
本考案は上記の課題に鑑みてなされたものであり、その目的は、継手内の付着物の付着状況の確認が容易であるとともに、付着物の洗浄が容易な掃除口付透明継手および、その掃除口付透明継手を適用する排水管路を提供することである。
【課題を解決するための手段】
【０００８】
前記課題を解決するために、本考案にかかる掃除口付透明継手は、以下の特徴を有する。
【０００９】
（１）本考案にかかる掃除口付透明継手は、排水経路の一部に設けられる掃除口付透明継手であって、継手本体は、少なくとも二つ以上の流入口が合流する合流部と、流出口と、掃除口部と、を備え、掃除口部は、継手本体において、本体外側面に設けられていることを特徴とする。
【００１０】
（１）の構成によれば、例えば、一方の流入口を排水立管に接続し、他方の流入口を上流側の排水横管に接続することにより、２つの排水を合流させた後、下流側の排水横管に接続する流出口から排水する透明継手を提供できる。
合流箇所を有する継手は、排水立管や排水横管とのつなぎ目、合流部（屈曲箇所）など、付着物の付き易い箇所が複数存在する。そこで、透明継手とすることにより、継手外部から照明を照らすことによる継手内の付着物の付着状態の確認を行うことができる。
更に、この透明継手の継手本体に対して、掃除口部が設けられていることから、付着物の位置が近く、かつ、当該掃除口部から洗浄ノズルや照明器具の挿入を行い得る。また、照明器具を掃除口部より管路内に挿入することで、内部からの照明が可能になるとともに、洗浄ノズルもしくは操作者の手による付着物の排除が可能になる。
従って、本考案にかかる掃除口付透明継手は、継手内の付着物の付着状況の確認が容易であるとともに、付着物の洗浄が容易である。
【００１１】
（２）（１）にかかる掃除口付透明継手において、掃除口部は、合流部よりも下流側に設けられていることが好ましい。
【００１２】
（２）の構成によれば、合流部よりも下流側の掃除口部から、洗浄ノズルや照明器具などの各種器具を挿入できる。このため、合流部で一度屈曲させる必要がなくなり、
一方または他方の流入口に向けて各種器具が導きやすい。そのため、各種作業性を向上できる。
従って、（２）にかかる掃除口付透明継手は、（１）の効果をより具体的に奏するものである。
【００１３】
（３）（１）または（２）にかかる掃除口付透明継手において、掃除口部は、前記継手本体における重力方向に対して、９０度以上で設けられていることが好ましい。
【００１４】
（３）の構成によれば、掃除口部が水平面よりも高い、９０度以上に設定することから、掃除口部は少なくとも水平面以上に位置される。そのため、２つの流入口の両方に排水横管に接続した場合、もしくは流入口の一方に排水立管を、他方に排水横管を接続した場合であっても、掃除口部は水平面以上に位置される。蓋体を取外した状態であっても、継手本体内の排水が漏出し難い。
従って、（３）にかかる掃除口付透明継手は、排水が漏出し難くなることで、掃除口部の蓋体の着脱操作が容易になるといった効果を奏するものである。
【００１５】
（４）（１）〜（３）のいずれか一つにかかる掃除口付透明継手において、掃除口部は、円筒様の形状にて、前記本体側面から延出する管体と、前記管体の外側開口に取付け可能な第一蓋体と、前記第一蓋体と前記管体の内側開口との間において、表面から裏面にかけて開孔する窓が設けられる第二蓋体と、を備えることが好ましい。
【００１６】
（４）の構成によれば、第一蓋体を取り外したとしても、掃除口部の内側開口は第二蓋体により覆われた状態のままである。この第二蓋体に設けられた窓からは、洗浄ノズルや照明装置などの挿入が可能であるとともに、窓以外の部分は洗浄液や排水などの漏水を防止する。
従って、（４）にかかる掃除口付透明継手は、管路内の洗浄や閉塞状態の確認の際に、漏水を防止するといった効果を奏するものである。
【００１７】
また、前記課題を解決するために、本考案にかかる排水管路は、以下の特徴を有する。
【００１８】
（５）（１）〜（４）にかかる掃除口付透明継手を複数適用する排水管路であって、掃除口付透明継手の一方の流入口を、排水横管に接続し、掃除口付透明継手の他方の流入口を、排水立管に接続することが好ましい。
【００１９】
（５）の構成によれば、排水立管および排水横管からなる排水管路において、（１）〜（４）の効果を奏する管路を提供できる。
【００２０】
（６）（１）〜（４）にかかる掃除口付透明継手を複数適用する排水管路であって、掃除口付透明継手の一方および他方の流入口を、それぞれ別個の排水横管に接続することが好ましい。
【００２１】
（６）の構成によれば、排水横管からなる排水管路において、（１）〜（４）の効果を奏する管路を提供できる。
【考案の効果】
【００２２】
以上、説明したように本考案にかかる掃除口付透明継手によれば、継手内の付着物の付着状況の確認が容易であるとともに、付着物の洗浄が容易な掃除口付透明継手および、その掃除口付透明継手を適用する排水管路を提供できる。
【図面の簡単な説明】
【００２３】
【図１】本考案にかかる排水管路１００を模式的に示す図面である。
【図２】第１実施形態にかかる掃除口付透明継手１を示す図面であり、（Ａ）は正面図であり、（Ｂ）は上面図であり、（Ｃ）は右側面図であり、（Ｄ）は同図（Ａ）のＡ−Ａ線断面であり、（Ｅ）は、同図（Ｄ）の蓋体１２を管体１１から取外した際の図面である。
【図３】本考案にかかる掃除口付透明継手１の効果を説明するための模式図であり、（Ａ）は排水管路１００の変形例を説明するための模式図であり、（Ｂ）は図２（Ｄ）の視点から説明するための模式図である。
【図４】第２実施形態にかかる掃除口付透明継手５１を示す正図面である。
【図５】第３実施形態にかかる掃除口部２１０を示す断面図であり、（Ａ）および（Ｂ）は掃除口部２１０の構成を説明するための図面であり、（Ｃ）はこの掃除口部２１０の作用を説明するための図面である。
【考案を実施するための形態】
【００２４】
以下、本考案を実施するための形態を図面に基づいて説明する。なお、以下に示す実施形態は、考案の趣旨をより良く理解させるためのものであり、特段指定のない限りは、本考案を限定するものではない。また、各図面は本考案の特徴を分かりやすくするために示すものであり、各構成要素の寸法比率などが、実際のものと同一であるとは限らない。
【００２５】
＜第１実施形態＞
第１実施形態にかかる掃除口付透明継手１および排水管路１００を図１および図２を用いて説明する。
図１は、本考案にかかる排水管路１００を模式的に示す図面であり、図２は、本考案にかかる掃除口付透明継手１を示す図面であり、（Ａ）は正面図であり、（Ｂ）は上面図であり、（Ｃ）は右側面図であり、（Ｄ）は同図（Ａ）のＡ−Ａ線断面であり、（Ｅ）は、同図（Ｄ）の蓋体１２を管体１１から取り外した際の図面である。
【００２６】
（排水管路１００の構成）
排水管路１００は、ビルやマンションといった建物において、排水設備からの排水を下水道管に流すために形成される管路である。
本実施形態における排水管路１００は、上方の階の各フロアで集水された排水が流れる排水立管１０１、後述する掃除口付透明継手１、その掃除口付透明継手１の上流側および下流側に接続する排水横管１０２、および不図示の下水道管から構成される。
排水管路１００においては、排水立管１０１によって導水された上階からの各排水は、複数の掃除口付透明継手１によってそれぞれ略９０°方向曲げられて下流側へと排水される。
【００２７】
（掃除口付透明継手１の構成）
掃除口付透明継手１は、排水管路１００の一部に設けられ、排水立管１０１および排水横管１０２から流入する排水を合流させるとともに、合流する排水を下流側の流出口から排出するための継手である。
掃除口付透明継手１は、継手本体２と、第１流入口３と、第２流入口４と、合流部５と、流出口６と、掃除口部１０と、から構成される。
【００２８】
継手本体２には、第１流入口３、第２流入口４、合流部５、および流出口６がそれぞれ一体に設けられていることが好ましい。
継手本体２は、透明樹脂材料として、（軟質および硬質を含む）ポリ塩化ビニル、ポリスチレン、アクリル、ポリエチレンテレフタレート、ポリカーボネート、ポリスルホン、ポリエーテルスルホン、ポリアリレート、ポリエーテルイミドなど、各種樹脂を含むものが使用できる。
【００２９】
なお、継手本体２は半透明や各種色味がついていても良い。色味としては、例えば、赤色、青色、緑色、黄色などの透明色が好ましい。
【００３０】
第１流入口３には、上流側の排水横管１０２が接続される。そのため、第１流入口３には、排水横管１０２の挿入可能な径の受口が設けられている。この受口は、排水横管１０２を差し込んだ際に、第１流入口３の内径と、排水横管１０２の内径とが面一になることが好ましい。
【００３１】
第１流入口３と、排水横管１０２との接続には、接着接続、ゴム輪接続、螺子接続、バヨネット接続、超音波溶着、レーザ溶着、といった、各種の接続方法による接続が可能である。
【００３２】
なお、最上流部に位置する掃除口付透明継手１の第１流入口３には、合流部５における排水の流れを邪魔することがないように、滑らかな表面形状を有する被覆蓋等が取付けられることが好ましい。
【００３３】
第２流入口４には、上流側および／または下流側（すなわち、Ｎ−１個目の掃除口付透明継手１の流出口に接続されている）排水立管１０１または排水横管１０２が接続される。
本実施形態において、第２流入口４には、排水立管１０１の挿入可能な径の受口が設けられている。この受口は、排水立管１０１を差し込んだ際に、第２流入口４の内径と、排水立管１０１の内径とが面一になることが好ましい。
【００３４】
第２流入口４と、排水立管１０１との接続には、接着接続、ゴム輪接続、螺子接続、バヨネット接続、超音波溶着、レーザ溶着、といった、各種の接続方法による接続が可能である。
【００３５】
図２（Ｄ）に示したように、掃除口部１０の一部が継手本体２に対して、一体に形成されている。
掃除口部１０は、管体１１と、蓋体１２と、開口部１３と、から構成されている。本実施形態において、掃除口部１０は、重力方向Ｇと、蓋体１２の取付軸方向Ｌとの成す角度αを１３５°程度で設定している。
従って、開口部１３の端部が水平面以上に設定されることにより、蓋体１２を取外した状態であっても、継手本体２内を流れる排水が外部に漏出し難くできる。
なお、角度αは任意の角度で設けることが出来、本実施形態においては、その角度を１３５°程度で設定している。
【００３６】
管体１１は、継手本体２に一体に設けられており、継手本体２の外側面の一部から立ち上がるようにして、設けられている。
管体１１は、その全体が略筒状の形状を有し、継手本体２の内側に開口する開口部１３と、これに連通し、蓋体１２を取付け可能な端部と、を備えている。
【００３７】
蓋体１２は、取付軸方向Ｌに沿って、管体１１に取付けられる。
蓋体１２における開口部１３側には、継手本体２の内側面に略面一な屈曲部が形成されており、それの逆側には、蓋体１２の操作部が形成されている。
蓋体１２を取り付けた状態で継手本体２内は外界から遮断されるため、この蓋体１２により継手本体２内を流れる排水は外に漏出することがない。
【００３８】
（掃除口付透明継手１の変形例）
図２（Ａ）に示した本実施形態では、掃除口付透明継手１において、第１流入口３と、第２流入口４とが４５°の角度で合流する例で説明したが、第１流入口３と、第２流入口４との合流角度は所定の角度に設計変更可能である。第１流入口３と、第２流入口４とのなす角度が、例えば、図１に示すよう９０°に設定しても良い。
【００３９】
（排水管路１００の変形例）
ここまで、第２流入口４に排水立管１０１を接続した例を用いて説明したが、例えば、図３に示すように、排水管路１００の取回しを変更することも出来る。
ここで、図３は、本考案にかかる掃除口付透明継手１の効果を説明するための模式図であり、（Ａ）は排水管路１００の変形例を説明するための模式図であり、（Ｂ）は図２（Ｄ）の視点から説明するための模式図である。
【００４０】
同図では、第２流入口４に排水横管１０２を接続したものであって、第１流入口３、第２流入口４、および流出口６の全てが横管に接続する経路である。
従って、掃除口付透明継手１を用いることにより、全てが横管からなる排水管路１００であっても、その一部に掃除口部１０を設けることが出来る。
また、同図に示したように、掃除口付透明継手１を９０°回転させたとしても掃除口部１０は水平面以下を向くことがない。そのため、蓋体１２を取外した状態で、排水管路１００内の排水が漏出し難い。
従って、掃除口付透明継手１であれば、所定の向きから９０°程度、倒した状態の排水管路１００に対しても適用可能である。
【００４１】
＜第２実施形態＞
第２実施形態にかかる掃除口付透明継手５１について、図４を用いて説明する。なお、本実施形態において、第１実施形態と共通する要素には５０を足して、その符号を示している。
図４に示したように、掃除口付透明継手５１は、不図示の合流部を備える第１継手部７０と、掃除口部６０を備える第２継手部８０と、の２つの部材で形成されている。
従って、それぞれ用途の異なる２つの部材を組み合わせることで掃除口付透明継手５１を形成することができる。このため、本実施形態の掃除口付透明継手５１であれば、合流角度の異なる合流部を備えた第１継手部７０に対して、掃除口部を組付けさせることができる。
【００４２】
第１継手部７０は、継手本体５２と、第１流入口５３と、第２流入口５４と、連結部５７と、から構成され、第２継手部８０は、流出口５６と、連結差込部５８と、掃除口部６０と、から構成されている。
【００４３】
連結部５７は、第２継手部８０の上流側端部が差し込み可能な受口である。
連結差込部５８は、連結部５７に差し込んだ状態で回動可能な程度に外径が調整されていることが好ましい。
これにより、連結差込部５８は、連結部５７に差し込んだ状態で、掃除口部６０の位置を重力方向に対して所定方向に配置できる。
【００４４】
また、連結差込部５８と、連結部５７とは、接着接続、ゴム輪接続、螺子接続、バヨネット接続、超音波溶着、レーザ溶着、といった、各種の接続方法により接続できる。
なお、螺子を用いた接続方法であれば、所定方向への回動操作により、掃除口部６０の位置を調整できる。また、バヨネットを用いた接続方法であれば、予め設定した位置に掃除口部６０を設置できる。
【００４５】
また、本実施形態の差込部は第２継手部８０側に設けた例を説明したが、差込部を第１継手部７０に設け、その受口となる部分を第２継手部８０側に設けるように変更しても良い。
更に、その差込部分の構造は、第１継手部７０および第２継手部８０を受口とし、両受口内に挿脱可能なパイプを、両受口の繋ぎ部材とする構成であっても良い。
【００４６】
＜第３実施形態＞
第３実施形態にかかる掃除口付透明継手の掃除口部２１０について、図５を用いて説明する。なお、本実施形態において、第１実施形態と共通する要素には２００を足して、その符号を示している。
ここで、図５は、第３実施形態にかかる掃除口部２１０を示す断面図であり、（Ａ）および（Ｂ）は掃除口部２１０の構成を説明するための図面であり、（Ｃ）はこの掃除口部２１０の作用を説明するための図面である。
【００４７】
図５（Ａ）および図５（Ｂ）に示したように、本実施形態の継手本体２０２に設けられる掃除口部２１０には、蓋体２１２に加え、管体２１１の開口部２１３に対して着脱可能な中蓋２１４、が取付けられる。
中蓋２１４の中央部には、洗浄ノズル９０や不図示の照明装置の挿通が可能な小窓２１５が設けられている。
【００４８】
本実施形態において、掃除口部２１０では、管体２１１の内側に、中蓋２１４、蓋体２１２の順で、各部材が取り付けられる。
照明確認時や洗浄作業時には、蓋体２１２を取外した状態で、中蓋２１４の小窓２１５から洗浄ノズル９０を継手本体２０２内部に挿入できる。
ここで、小窓２１５は開口部２１３に比べて小径であることから、図５（Ｃ）に示すよう、小窓２１５の内側端面にて洗浄液ＷＬの勢いが止まるため、洗浄液ＷＬは外に漏れにくい。
なお、本実施形態において、小窓２１５は中蓋２１４の中央部に設けているが、小窓２１５は中蓋２１４に対して偏芯していてもよい。
【００４９】
中蓋２１４の外周の一部には、管体２１１の内周面に嵌合可能な凸部が設けられている。これにより、中蓋２１４は開口部２１３よりも内側にはみ出ることなく、取付けられる。
なお、中蓋２１４は、管体２１１に対して着脱自在に設けられることが好ましく、中蓋２１４の外周には、螺子溝、バヨネット、ターンアップといった嵌合機構を適用することが好ましい。
【符号の説明】
【００５０】
１・・・掃除口付透明継手、２・・・継手本体、３・・・第１流入口、４・・・第２流入口、５・・・合流部、６・・・流出口、１０・・・掃除口部、１１・・・管体、１２・・・蓋体、１３・・・開口部、５１・・・掃除口付透明継手、５２・・・継手本体、５３・・・第１流入口、５４・・・第２流入口、５６・・・流出口、５７・・・連結部、５８・・・連結差込部、７０・・・第１継手部、８０・・・第２継手部、９０・・・洗浄ノズル、１００・・・排水管路、１０１・・・排水立管、１０２・・・排水横管、２０２・・・継手本体、２１１・・・管体、２１２・・・蓋体、２１３・・・開口部、２１４・・・中蓋、小窓・・・２１５
Ｇ・・・重力方向、Ｌ・・・蓋体取付方向、ＷＬ・・・洗浄水
【図１】
0003222930.tif 000003
【図２】
0003222930.tif 000004
【図３】
0003222930.tif 000005
【図４】
0003222930.tif 000006
【図５】
0003222930.tif 000007